(57)【特許請求の範囲】
【請求項１】
ディスクの装着脱に方向性を有するディスク装置が、装着機構を用いて電子装置本体に装着される構成の電子装置において、
前記ディスク装置は、前記装着機構と、前記ディスクを装着脱する面を有するトレイとを備え、
前記装着機構が、前記ディスク装置の第１の面にネジのネジ部を挿入するための第１のネジ用開口部と、前記第１のネジ用開口部と対向する位置の前記第２の面に前記ネジ部を挿入するための第２のネジ用開口部とを備え、
前記第１及び第２のネジ用開口部が、前記トレイを前記ディスク装置に収納した時に前記トレイが存在しない、前記ディスク装置の領域に形成されており、
前記ディスク装置を前記電子装置本体に対し、第１の向きと、該第１の向きとは逆の方向である第２の向きのいずれの向きに対しても装着しうる構成を有することを特徴とする電子装置。
【請求項２】
前記装着機構は、前記第１のネジ用開口部と第２のネジ用開口部との間に補強用の柱を有することを特徴とする請求項１に記載の電子装置。
【請求項３】
ディスクの装着脱に方向性を有し、装着機構を用いて電子装置本体に装着されるディスク装置であって、
前記装着機構と、前記ディスクを装着脱する面を有するトレイとを備え、
前記装着機構が、前記ディスク装置の第１の面にネジのネジ部を挿入するための第１のネジ用開口部と、前記第１のネジ用開口部と対向する位置の前記第２の面に前記ネジ部を挿入するための第２のネジ用開口部とを備え、
前記第１及び第２のネジ用開口部が、前記トレイを前記ディスク装置に収納した時に前記トレイが存在しない、前記ディスク装置の領域に形成されており、
前記電子装置本体に対し、第１の向きと、該第１の向きとは逆の方向である第２の向きのいずれの向きに対しても装着しうることを特徴とするディスク装置。
【発明の詳細な説明】
【技術分野】
【０００１】
本発明は、電子装置及びディスク装置に係り、特にディスクの装着脱に方向性を有するディスク装置が、装着機構を用いて電子装置本体に装着された構成の電子装置及びディスク装置に関する。
【背景技術】
【０００２】
図１は、従来の一例である電子装置示しており、図２は、トレイを引き出した状態の電子装置を示した図である。同図では、電子装置としてパーソナルコンピュータの本体部分（以下、パソコン１０という）を例に挙げている。このパソコン１０は、大略するとパソコン本体１１と、フロッピーディスク（登録商標）ドライブ１２（以下、ＦＤＤ１２という）と、光ディスク装置１３（例えば、ＣＤ−ＲＯＭ装置）とにより構成されている。
【０００３】
パソコン１０は、パソコン本体１１の内部にＣＰＵ，電源回路等の熱を発生する各種機器及び装置が内設されている。この発熱を行なう機器等を放熱しないと適正な動作を維持できなくなるため、パソコン本体１１には放熱設計がされている。
【０００４】
この放熱設計は、パソコン１０を正規の使用態様（正規の姿勢）で使用した状態を基準にして行なわれている。図１は、パソコン本体１１をフット１４により縦置した状態であり、これがパソコン１０の正規の姿勢である。また、この正規の姿勢において、パソコン本体１１内で発生した熱は、図１に矢印Ａで示す方向に放熱される。更に、パソコン製造元及び製品の型番を示すロゴ１５は、この正規の姿勢において上下位置が正しくなるよう取り付けられる。
【０００５】
また、ＦＤＤ１２と及び光ディスク装置１３は、パソコン本体１１のフロントパネルに配設されている。ＦＤＤ１２は、記録媒体であるフロッピーディスク（ＦＤ）を正面開口部より装着脱する。これに対し、光ディスク装置１３は、記録媒体である光ディスク１９を装置内に装着脱するのに、図２に示すように収納用ケース１６からトレイ１７を引き出し、このトレイ１７に光ディスク１９を装着することで光ディスク装置１３に対しての装着脱を行なう構成となっている。
【０００６】
この光ディスク１９をトレイ１７に装着する際、その装着方向には方向性がある。具体的には、図２に示す例では、トレイ１７に対して光ディスク１９を矢印Ｘ１方向からは装着できるが、これと反対方向であるＸ２方向からは装着できない構成となっている。
【０００７】
図３Ａは、図１に示したパソコンを壁に寄せて設置した状態を示した図であり、図３Ｂは、図１に示したパソコンを横置きに設置した状態を示した図である。近年、パソコン１０はインテリアも構成する要素のひとつとして位置付けられており、よって使用者の好みによりパソコン１０の設置場所のレイアウトは制限されることがある。具体的には、図３Ａに示すように、パソコン１０を壁２１に寄せて設置したい場合、従来のパソコン１０では、光ディスク１９を光ディスク装置１３に取り付ける向きが固定された構成とされていたため、パソコン１０を壁２１に寄せるレイアウトが行なえなかった。また、無理にパソコン１０を壁２１に寄せた場合には、光ディスク１９を装着することが非常に困難であるという問題があった。
【０００８】
また、図３Ｂに示すように、パソコン１０を正規の姿勢に対して寝かせた状態とすることにより、壁２１に寄せてパソコン１０を設置することが考えられるが、この場合には、パソコン１０の向きが正規な姿勢ではなくなるため、パソコン１０内に発生する熱の放熱が設計通りに行われなくなり、パソコン１０内部に熱が蓄積されるという問題があった。また、ロゴ１５が逆さになるという問題点もある。
【発明の開示】
そこで本発明は、上記問題点に鑑みなされたもので、電子装置本体に対するディスクの装着方向に依存することなく、電子装置本体の設置の自由度を向上しうる電子装置及びディスク装置を提供することを目的とする。
【０００９】
上記の課題を達成するために、本発明の電子装置は、ディスクの装着脱に方向性を有するディスク装置が、装着機構を用いて電子装置本体に装着される構成の電子装置において、前記ディスク装置は、前記装着機構と、前記ディスクを装着脱する面を有するトレイとを備え、前記装着機構が、前記ディスク装置の第１の面にネジのネジ部を挿入するための第１のネジ用開口部と、前記第１のネジ用開口部と対向する位置の前記第２の面に前記ネジ部を挿入するための第２のネジ用開口部とを備え、前記第１及び第２のネジ用開口部が、前記トレイを前記ディスク装置に収納した時に前記トレイが存在しない、前記ディスク装置の領域に形成されており、前記ディスク装置を前記電子装置本体に対し、第１の向きと、該第１の向きとは逆の方向である第２の向きのいずれの向きに対しても装着しうる構成を有することを特徴とする。
【００１０】
本発明によれば、ディスク装置を電子装置本体に対して、第１の向きと、該第１の向きとは逆の方向である第２の向きのいずれの向きに対しても装着することができるため、ディスクを電子装置本体に対して、第１の向きから装着する態様と、第２の向きから装着する態様とを選択することが可能となる。よって、電子装置本体に対するディスクの装着方向に依存することなく、電子装置本体の設置の自由度を向上させることができる。
【００１８】
また、上記の課題を達成するために、本発明の電子装置は、前記第１のネジ用開口部と第２のネジ用開口部との間に補強用柱を有することができる。
【００１９】
さらに、上記の課題を達成するために、本発明のディスク装置は、ディスクの装着脱に方向性を有し、装着機構を用いて電子装置本体に装着されるディスク装置であって、前記装着機構と、前記ディスクを装着脱する面を有するトレイとを備え、前記装着機構が、前記ディスク装置の第１の面にネジのネジ部を挿入するための第１のネジ用開口部と、前記第１のネジ用開口部と対向する位置の前記第２の面に前記ネジ部を挿入するための第２のネジ用開口部とを備え、前記第１及び第２のネジ用開口部が、前記トレイを前記ディスク装置に収納した時に前記トレイが存在しない、前記ディスク装置の領域に形成されており、前記電子装置本体に対し、第１の向きと、該第１の向きとは逆の方向である第２の向きのいずれの向きに対しても装着しうることを特徴とする。
【００２０】
本発明によれば、ディスク装置を電子装置本体に対し、第１の向きと、該第１の向きとは逆の方向である第２の向きのいずれの向きに対しても装着することができるため、第１の向きから装着する態様と、第２の向きから装着する態様を選択することが可能となる。よって、電子装置本体に対するディスクの装着方向に依存することなく、電子装置本体の設置の自由度を向上させることができる。
【００２５】
以下、図面に基づいて本発明の発明を実施するための最良の形態について説明する。
【００２６】
本実施の形態では、電子装置としてパーソナルコンピュータの本体部分（以下、パソコンとする）を例に挙げて以下の説明を行う。図４は、本発明に係るパソコンを示した図である。なお、図４中に示したＸ，Ｘ方向はパソコン本体３１の幅方向、Ｙ，Ｙ方向はパソコン本体３１の奥行き方向、Ｚ，Ｚ方向はＹ，Ｙ方向及びＸ，Ｘ方向に垂直な方向をそれぞれ示している。（以下に用いる各図においても同様とする。）
始めに、図４を参照して、電子装置であるパソコン３０の構成について説明する。パソコン３０は、大略するとパソコン本体３１と、フロッピーディスク（登録商標）ドライブ３２（以下、ＦＤＤとする）と、光ディスク装置３３とにより構成されている。ディスク装置である光ディスク装置３３は、光ディスクであるＣＤやＤＶＤ等にデータの記録や再生を行うためのものである。光ディスクは、パソコン本体３１に対して、図４中に示したＸ１方向から装着脱される。また、パソコン３０は、パソコン本体３１の幅Ｗ１が光ディスク装置の長手方向の幅Ｗ２よりも小さくなるように設計されたものである。
【００２７】
電子装置本体であるパソコン本体３１には、パソコン製造元及び製品の型番等の表示３４が表示されている。また、パソコン３０は、内部で熱を発生するため、図４中に示したＢ方向に熱が移動するような放熱設計がされている。また、この状態で表示３４は逆さにならないよう構成されている。このため、パソコン３０は、図４に示した正規の姿勢で据付けが行われる。
【００２８】
図５は、図４に示した光ディスク装置から光ディスク装着用トレイを引き出した状態を示した図であり、図６はパソコン本体に対して反転させて装着された光ディスク装置の光ディスク装着用トレイを引き出した状態を示した図である。なお、図５中のＸ１及び図６中のＸ２は、それぞれの図における光ディスク３９の装着方向（以下、それぞれＸ１方向、Ｘ２方向）を示している。Ｘ２方向は、Ｘ１方向とは逆の方向である。
【００２９】
本発明の特徴は、従来、図５に示すようにパソコン本体３１に対して片側（Ｘ１方向）からのみ装着脱していた光ディスク３９を、光ディスク装置３３をパソコン本体３１に対して反転させて装着脱可能な構成とし、光ディスク３９をＸ１方向から装着する態様と、Ｘ２方向から装着する態様とのどちらかを選択することができるようにしたことである。なお、Ｘ１方向は、請求項に記載の「第１の向き」のことであり、Ｘ２方向は請求項に記載の「第２の向き」のことである。
【００３０】
このように光ディスク装置３３をパソコン本体３１に対して反転させて装着可能な構成とすることにより、パソコン使用者は、ディスクを装着脱する方向をＸ１方向あるいはＸ２方向のどちらかを選択することができる。したがって、パソコン本体３１に対する光ディスク３９の装着方向に依存することなく、パソコン本体３１の設置の自由度を向上させることができる。以下、上記構成を具体的に実現するための実施例の説明を行う。
【００３１】
（第１実施例）
次に、図７を参照して、本発明の第１実施例の光ディスク装置について説明する。図７は、本発明の第１実施例の光ディスク装置を示した図である。なお、図７中のＨ１，Ｈ２は、それぞれ幅（以下、それぞれ幅Ｈ１、幅Ｈ２）を示している。
【００３２】
ディスク装置である光ディスク装置５０は、大略すると光ディスク装着用トレイ５１と、収納用ケース５３と、第１及び第２の係止片５５，５７と、図示していない駆動機構及びデータ記録再生機構等とから構成されている。光ディスク装着用トレイ５１は、光ディスク３９を装着するためのものである。光ディスク装着用トレイ５１には、取り出し用ボタン５２が設けられている。この取り出し用ボタン５２を押すことにより光ディスク装着用トレイ５１はＹ，Ｙ方向に引き出され、ディスク３９をＸ１方向から光ディスク装着用トレイ５１に装着することができる構成とされている。
【００３３】
収納用ケース５３には、光ディスク装着用トレイ５１、図示していない駆動機構及びデータ記録再生機構等が収納されている。収納用ケース５３の第１の面である面５３ａには、第１の装着用部材である第１の係止片５５が幅Ｈ１と幅Ｈ２とが等しくなる線上に２つ設けられている。また、各第１の係止片５５には、ネジを挿入するためのネジ用開口部５５Ａが形成されている。
【００３４】
第２の面である面５３ｂには、第２の装着用部材である第２の係止片５７が第１の係止片５５と対向する位置に２つ設けられている。第２の係止片５７には、ネジを挿入するためのネジ用開口部５７Ａが形成されている。また、第２の係止片５７は、第１の係止片５５と同一形状のものであり、ネジ用開口部５５Ａ，５７Ａも同じサイズに形成されている。
【００３５】
この収納用ケース５３に設けられた第１の係止片５５と第２の係止片５７とは、光ディスク装置５０を反転させた際、互いに対称となる位置に配設されている。
【００３６】
次に、図８を参照して、光ディスク装置が装着されるパソコン本体３１について説明する。図８は、光ディスク装置が装着される領域のパソコン本体の側面図であり、図９は、光ディスク装置が装着されたパソコン本体を示した図である。
【００３７】
電子装置本体であるパソコン本体３１には、光ディスク装置５０を装着するための空間である装着部６１が形成されている。この装着部６１には、前記した第１及び第２の係止片５５，５７に形成されたネジ用開口部５５Ａ，５７Ａと対応するようネジ穴５９が形成されている。このネジ穴５９は、第１及び第２の係止片５５，５７に設けられたネジ用開口部５５Ａ，５７Ａを介してドライバー等により締結を行うためのものである。図９に示すように、ネジ穴５９をパソコン本体３１に設けることにより、４つのネジ６２により光ディスク装置５０をパソコン本体３１に装着脱することができる。
【００３８】
また、先に述べたように、光ディスク装置５０の反転前後において、第１及び第２の係止片５５，５７の配設位置は対称となるように構成されているため、図７に示した状態のディスク装置５０を反転させて、装着部６１に装着することができる。これにより、パソコン使用者は、ディスク３９をパソコン本体３１に対して、Ｘ１方向から装着する態様と、Ｘ２方向から装着する態様とのどちらかを選択することができる。よって、パソコン本体３１の設置の自由度を向上させることができるため、パソコン本体３１に対する光ディスク３９の装着方向に依存することなく、また正規の姿勢を維持した状態でパソコン３０を所望する任意の位置に据付けることが可能となる。また、パソコン３０内の放熱処理を正常に行なうことができる。
【００３９】
なお、本実施例において、第１及び第２の係止片は、本実施例の個数及び形状に限定されるものではなく、第１及び第２の係止片のそれぞれの個数を２個より多く設けても良いし、それぞれ１つの第１及び第２の係止片を設け、第１及び第２の係止片に複数のネジ用開口部を設けた構成としても良い。
【００４０】
（第２実施例）
次に、図１０を参照して、本発明の第２実施例の光ディスク装置について説明する。図１０は、本発明の第２実施例の光ディスク装置を示した図である。なお、図１０中のＨ３，Ｈ４，Ｌは、それぞれ幅（以下、それぞれ幅Ｈ３、幅Ｈ４、幅Ｌ）を示している。また、図１０において、図７と同一構成部分には同一符号を付して説明を省略する。
【００４１】
ディスク装置である光ディスク装置６５は、大略すると光ディスク装着用トレイ５１と、収納用ケース６６と、第１及び第２の係止用板６７，６８と、図示していない駆動機構及びデータ記録再生機構等とから構成されている。収納用ケース６６には、光ディスク装着用トレイ５１、図示していない駆動機構及びデータ記録再生機構等が収納されている。
【００４２】
収納用ケース６６の第１の面である面６６ａの幅Ｈ３と幅Ｈ４とが等しくなる線上には、第１の装着用部材である板状の形状をした第１の係止用板６７が設けられている。また、面６６ａと対向する第２の面である面６６ｂには、第２の装着用部材である第２の係止用板６８が第１の係止用板６７と対向する位置に設けられている。第２の係止用板６８は、第１の係止用板６７と同一形状のものであり、厚みは幅Ｌに形成されている。
【００４３】
このような構成とされた第１及び第２の係止用板６７，６８を設けることにより、図１０に示した状態の光ディスク装置６５の反転前後において、第１の係止用板６７と第２の係止用板６８との配設位置を対称とすることができる。
【００４４】
次に、図１１乃至図１２を参照して、光ディスク装置６５が装着されるパソコン本体７１について説明する。図１１は、第２実施例のパソコン本体の正面図であり、図１２は、図１１に示したパソコン本体のＧ―Ｇ線方向の断面図である。また、図１３は、光ディスク装置が装着されたパソコン本体の正面図である。
【００４５】
電子装置本体であるパソコン本体７１には、光ディスク装置６５を装着するための空間である装着部７０が形成されている。図１１乃至図１２に示すように、装着部７０の上下方向には、突出部６９ａと突出部６９ｂとよりなる溝形成用突出部６９がそれぞれ２つずつ配設されている。突出部６９ａと突出部６９ｂとの間には、第１の係止用板６７又は第２の係止用板６８を挿入し、係止するための係止用溝部６９Ａが形成されている。この係止用溝部６９Ａの幅は、第１及び第２の係止用板６７，６８の幅Ｌを挿入及び係止できるように形成されている。なお、突出部６９ａ，６９ｂは、例えば、押し出し加工により形成することができる。
【００４６】
このような溝形成用突出部６９を設けることにより、ドライバー等の道具を必要とすることなく、第１及び第２の係止用板６７，６８を係止用溝部６９Ａに挿入して、パソコン本体７１に対して光ディスク装置６５を容易に装着脱することができる。
【００４７】
また、先に述べたように、光ディスク装置６５は反転前後において、第１及び第２の係止用板６７，６８の配設位置が対称となるように構成されているため、図１０に示した状態のディスク装置６５を反転させて、装着部７０に装着脱することができる。
【００４８】
これにより、パソコン使用者は、ディスク３９をパソコン本体３１に対して、Ｘ１方向から装着する態様と、Ｘ２方向から装着する態様とのどちらかを選択することができる。よって、パソコン本体７１の設置の自由度を向上させることができるため、パソコン本体７１に対する光ディスク３９の装着方向に依存することなく、また正規の姿勢を維持した状態でパソコンを所望する任意の位置に据付けることが可能となる。また、パソコン内の放熱処理を正常に行なうことができる。
【００４９】
なお、本実施例において、第１及び第２の係止用板は、本実施例の形状に限定されるものではなく、それぞれ分割して設けても良い。
【００５０】
（第３実施例）
次に、図１４乃至図１５を参照して、本発明の第３実施例の光ディスク装置について説明する。図１４は、本発明の第３実施例の光ディスク装置を示した図であり、図１５は、図１４に示した光ディスク装置をＦ視した図である。なお、図１４において、図７と同一構成部分には同一符号を付して説明を省略する。
【００５１】
ディスク装置である光ディスク装置７５は、大略すると光ディスク装着用トレイ５１と、収納用ケース７６と、第１及び第２の係止部７８，７９と、図示していない駆動機構及びデータ記録再生機構等とから構成されている。
【００５２】
収納用ケース７６の第１の面である面７６ａには、第１の装着用部材である第１の係止部７８が２つ設けられている。また、第１の係止部７８は、舌片状に切り起こされた構成であるため、第１の係止部７８と面７６ａとの間にも同様に幅Ｊを有した第１の溝部７８Ａが設けられている。収納用ケース７６の第２の面である面７６ｂには、第１の係止部７８と対向するように第２の装着用部材である第２の係止部７９が２つ設けられている。また、第２の係止部７９と面７６ｂとの間には、幅Ｊを有した第２の溝部７９Ａが設けられている。
【００５３】
この第１及び第２の係止部７８，７９は、互いに対称となる位置に配設されており、光ディスク装置７５の反転前後において、同一位置になるよう構成されている。
【００５４】
次に、図１６を参照して、光ディスク装置７５とパソコン本体９１との間を接続する板部材８５について説明する。図１６は、板部材の斜視図である。板部材８５は、大略すると挿入部８６と、パソコン本体側接続部８７とにより構成されている。挿入部８６は、第１の溝部７８Ａ又は第２の溝部７９Ａに挿入するためのものである。パソコン本体側接続部８７には、ネジ８１のネジ部８１Ａを挿入するための２つの開口部８８が形成されている。この開口部８８にネジ８１を挿入して、ドライバー等により締結することで板部材８５はパソコン本体９１に対して固定される。
【００５５】
次に、図１７を参照して、電子装置本体であるパソコン本体９１について説明する。図１７は、板部材が装着される領域のパソコン本体の正面図であり、図１８は、光ディスク装置が装着されたパソコン本体を示した図である。図１７に示すように、パソコン本体９１には、ネジ８１を係止するための２つのネジ穴８９が形成されている。
【００５６】
上記説明したような第１及び第２の溝部７８Ａ，７９Ａと、板部材８５と、ネジ穴８９とを設けた構成とすることにより、パソコン本体９１に光ディスク装置７５を装着することができる。
【００５７】
また、先に述べたように第１及び第２の係止部７８，７９は、互いに対称となる位置に配設されており、光ディスク装置７５の反転前後において、同一位置になるよう構成されているため、図１４に図示した状態のディスク装置７５を反転させて、パソコン本体９１に装着することができる。
【００５８】
これにより、パソコン使用者は、ディスク３９をパソコン本体９１に対して、Ｘ１方向から装着する態様と、Ｘ２方向から装着する態様とのどちらかを選択することができる。よって、パソコン本体９１の設置の自由度を向上させることができるため、パソコン本体９１に対する光ディスク３９の装着方向に依存することなく、また正規の姿勢を維持した状態でパソコンを所望する任意の位置に据付けることが可能となる。また、パソコン内の放熱処理を正常に行なうことができる。
【００５９】
なお、本実施例において、第１及び第２の係止部は、本実施例の構成に限定されることなく、それぞれ１つの第１及び第２の係止部から構成しても良い。
【００６０】
（第４実施例）
次に、図１９乃至図２１を参照して、本発明の第４実施例の光ディスク装置について説明する。図１９は、本発明の第４実施例の光ディスク装置を示した図であり、図２０は、図１９に示した光ディスク装置をＸ１視した図であり、図２１は図２０に示した光ディスク装置のＭ―Ｍ線方向の断面図である。なお、図１９において、図７と同一構成部分には同一符号を付して説明を省略する。また、図２０中に示したＱは、光ディスク装着用トレイ５１と収納用ケース９６との間に存在する未使用領域（以下、未使用領域Ｑ）を示している。
【００６１】
ディスク装置である光ディスク装置９５は、大略すると光ディスク装着用トレイ５１と、収納用ケース９６と、第１乃至第４の開口部９７Ａ，９８Ｂ，９７Ｂ，９８Ａと、図示していない駆動機構及びデータ記録再生機構等とから構成されている。
【００６２】
収納用ケース９６の第１の面である面９６ａには、第１の開口部９７Ａと、第２の開口部９８Ｂとが形成されている。第２の面である面９６ｂには、第１の開口部９７Ａと対向する位置に第３の開口部９７Ｂと、第２の開口部９８Ｂと対向する位置に第４の開口部９８Ａとが形成されている。これら第１乃至第４の開口部９７Ａ，９８Ａ，９７Ｂ，９８Ｂは、光ディスク装着用トレイ５１と収納用ケース９６との間に存在する未使用領域Ｑに当接する面９６ａ又は面９６ｂに形成されている。
【００６３】
第１の開口部９７Ａは、第１のネジ１０５を収納用ケース９６内部に入れて、第３の開口部９７Ｂに挿入された第１のネジ１０５をドライバー等によりパソコン本体に対して締結を行うためのものである。第１のネジ１０５は、頭部１０５Ａとネジ部１０５Ｂとから構成されている。第３の開口部９７Ｂは、第１のネジ１０５のネジ部１０５Ｂを挿入するためのものである。
【００６４】
第２の開口部９８Ｂは、第２のネジ１０７を収納用ケース９６内部に入れて、第４の開口部９８Ａに挿入された第２のネジ１０７をドライバー等によりパソコン本体に対して締結を行うためのものである。第２のネジ１０７は、頭部１０７Ａとネジ部１０７Ｂとから構成されている。第４の開口部９８Ａは、第２のネジ１０７のネジ部１０７Ｂを挿入するためのものである。
【００６５】
このような構成とされた第１乃至第４の開口部９７Ａ，９８Ａ，９７Ｂ，９８Ｂを収納用ケース９６に設けることにより、光ディスク装置９５を反転させて、パソコン本体に装着脱することができる。
【００６６】
次に、図２２を参照して、電子装置本体であるパソコン本体１０１について説明する。図２２は、パソコン本体のＤ視した図である。また、図２３はパソコン本体に装着した光ディスク装置のＭ−Ｍ方向の断面図であり、図２４はパソコン本体に対して反転させて装着された光ディスク装置のＭ−Ｍ線方向の断面図である。なお、図２３乃至図２４において、図２１及び図２２と同一構成部分には同一符号を付す。
【００６７】
電子装置本体であるパソコン本体１０１には、第１のネジ１０５を係止するための第１のネジ穴１０３と、第２のネジ１０７を係止するための第２のネジ穴１０２とが形成されている。第１のネジ穴１０３は、第３の開口部９７Ｂと当接される位置に形成されており、第２のネジ穴１０２は、第２の開口部９８Ｂと当接される位置に形成されている。
【００６８】
このような第１及び第２のネジ穴１０２，１０３を、パソコン本体１０１に設けることにより、図２３乃至図２４に示すように、パソコン本体１０１に対して光ディスク装置９５を反転させて装着することができる。
【００６９】
これにより、パソコン使用者は、ディスク３９をパソコン本体１０１に対して、Ｘ１方向から装着する態様と、Ｘ２方向から装着する態様とのどちらかを選択することができる。よって、パソコン本体１０１の設置の自由度を向上させることができるため、パソコン本体１０１に対する光ディスク３９の装着方向に依存することなく、また正規の姿勢を維持した状態でパソコンを所望する任意の位置に据付けることが可能となる。また、パソコン内の放熱処理を正常に行なうことができる。
【００７０】
（第５実施例）
次に、図２５乃至図２８を参照して、本発明の第５実施例の光ディスク装置について説明する。図２５は、本発明の第５実施例の光ディスク装置の斜視図であり、図２６は、図２５に示した光ディスク装置をＤ視した図である。なお、図２５において、図７と同一構成部分には同一符号を付して説明を省略する。図２６中のＲは、光ディスク装着用トレイ５１と収納用ケース１１１との間に存在する未使用領域（以下、未使用領域Ｒ）を示している。また、図２７は、図２６に示した光ディスク装置のＮ―Ｎ線方向の断面図であり、図２８は、補強用柱の斜視図である。
【００７１】
ディスク装置である光ディスク装置１１０は、大略すると光ディスク装着用トレイ５１と、収納用ケース１１１と、第１及び第２のネジ用開口部１１２Ａ，１１２Ｂと、図示していない駆動機構及びデータ記録再生機構等とから構成されている。
【００７２】
収納用ケース１１１の第１の面である面１１１ａには、第１のネジ用開口部１１２Ａが形成されており、第２の面である面１１１ｂには、第１のネジ用開口部１１２Ａと対向する位置に第２のネジ用開口部１１２Ｂが形成されている。また、第１のネジ用開口部１１２Ａの径と第２のネジ用開口部１１２Ｂの径とは、同じ大きさに形成されている。第１及び第２のネジ用開口部１１２Ａ，１１２Ｂは、ネジ１１５のネジ部１１５Ａを挿入するためのものであり、光ディスク装着用トレイ５１と収納用ケース９６との間に存在する未使用領域Ｑに当接する面１１１ａ又は面１１１ｂに形成されている。ネジ１１５のネジ部１１５Ａのうち、後述するネジ穴１１８，１１９と係合する部分には、ねじ山が形成されている。
【００７３】
また、面１１１ａと面１１１ｂとの間には、補強用柱１１４が設けられている。図２８に示すように、補強用柱１１４は、開口部１１４Ａを有した円柱状の形状をしている。このような補強用柱１１４を設けることにより、ネジ１１５により締結してパソコン本体にディスク装置１１０を装着した際、収納用ケース１１１が変形することを防止できる。
【００７４】
次に、図２９を参照して、電子装置本体であるパソコン本体１１７について説明する。図２９は、パソコン本体をＸ１視した図であり、図３０はパソコン本体に装着された光ディスク装置のＮ−Ｎ方向の断面図であり、図３１はパソコン本体に対して反転させて装着された光ディスク装置のＮ−Ｎ線方向の断面図である。なお、図３０乃至図３１において、図２７及び図２９と同一構成部分には同一符号を付して説明を省略する。
【００７５】
電子装置本体であるパソコン本体１１７には、面１１１ａ側から挿入されたネジ１１５を係止するためのネジ穴１１８と、面１１１ａの反対側にある面１１１ｂ側から挿入されたネジ１１５を係止するためのネジ穴１１９とが形成されている。ネジ穴１１８は、第２のネジ用開口部１１２Ｂと当接する位置に形成され、ネジ穴１１９は、第１のネジ用開口部１１２Ａと当接する位置に形成されている。
【００７６】
このようなネジ穴１１８，１１９をパソコン本体１１７に設けることにより、図３０乃至図３１に示すように、パソコン本体１１７に対して光ディスク装置１１０を反転させて装着することができる。
【００７７】
これにより、パソコン使用者は、ディスク３９をパソコン本体１１７に対して、Ｘ１方向から装着する態様と、Ｘ２方向から装着する態様とのどちらかを選択することができる。よって、パソコン本体１１７の設置の自由度を向上させることができるため、パソコン本体１１７に対する光ディスク３９の装着方向に依存することなく、また正規の姿勢を維持した状態でパソコンを所望する任意の位置に据付けることが可能となる。また、パソコン内の放熱処理を正常に行なうことができる。
【００７８】
なお、本実施例において、補強用柱１１４に設けられた開口部１１４Ａは、本実施例の構成に限定されることなく、例えば、ネジ穴１１８，１１９と同じ径のネジ穴が加工されたものを用いても良い。この場合には、ネジ部１１５Ａの全てにネジ山を設けたネジ１１５を用いることができる。
【００７９】
（第６実施例）
次に、図３２を参照して、本発明の第６実施例の光ディスク装置及びパソコン本体について説明する。図３２は、本発明の第６実施例の光ディスク装置及びパソコン本体の斜視図である。なお、図３２中に示した「光ディスク装置前面側」は、図示していない光ディスク装着用トレイの出し入れされる側を示している。
【００８０】
光ディスク装置１２０の収納用ケース１２１の背面１２１ａの上下方向には、係止片１２２がそれぞれ１つずつ配設されており、この２つの係止片１２２は、光ディスク装置の反転前後において、２つの係止片１２２の配設位置が対称となる位置に設けられている。係止片１２２には、ネジ１２６を挿入するためのネジ用開口部１２２Ａが形成されている。
【００８１】
パソコン本体１２５には、係止片１２２をネジ１２６で固定するためのネジ穴１２５Ａが設けられている。このような構成とすることで、パソコン使用者は、ディスク３９をパソコン本体１２５に対して、Ｘ１方向から装着する態様と、Ｘ２方向から装着する態様とのどちらかを選択することができる。
【００８２】
よって、パソコン本体１２５の設置の自由度を向上させることができるため、パソコン本体１２５に対する光ディスク３９の装着方向に依存することなく、また正規の姿勢を維持した状態でパソコンを所望する任意の位置に据付けることが可能となる。また、パソコン内の放熱処理を正常に行なうことができる。
【００８３】
（第７実施例）
次に、図３３乃図３４を参照して、本発明の第７実施例の光ディスク装置及びパソコン本体について説明する。図３３は、本発明の第７実施例の光ディスク装置、蓋体及びパソコン本体の斜視図であり、図３４は、図３３に示した光ディスク装置及び蓋体がパソコン本体に装着された際の係合部分をＺ１視した図である。なお、図３３中に示した「光ディスク装置前面側」は、図示していない光ディスク装着用トレイの出し入れされる側を示している。
【００８４】
光ディスク装置１３５の収納用ケース１３６の側面１３６ａ，１３６ｂの４つの角部には、係止片１３８がそれぞれ厚さ方向に対向するよう一対ずつ配設されている。これら係止片１３８は、中心位置に対してそれぞれの係止片１３８の配設位置が対称となるよう配設されている。したがって、光ディスク装置１３５を反転し、これに伴い収納用ケース１３６が反転した際、各係止片１３８も対称位置に位置することになる。
【００８５】
パソコン本体１４０Ａ，１４０Ｂには、係止片１３８を挿入するための４つの溝部がそれぞれ設けられている。また、溝部の挿入口付近には、係止片１３８を溝部１４１内に案内するためのテーパ領域１４２が形成されている。パソコン本体１０４Ａ，１４０Ｂの溝部１４１に挿入された光ディスク装置１３５は、図３４に示すように、４つの押さえ部１３１を有した蓋体１３０により上方に位置する係止片１３８が固定される。
【００８６】
このような構成とすることで、パソコン本体１４０Ａ，１４０Ｂに対して光ディスク装置１３５を反転させて装着することができる。
【００８７】
これにより、パソコン使用者は、ディスク３９をパソコン本体１４０Ａ，１４０Ｂに対して、Ｘ１方向から装着する態様と、Ｘ２方向から装着する態様とのどちらかを選択することができる。よって、パソコン本体１４０Ａ，１４０Ｂの設置の自由度を向上させることができるため、パソコン本体１４０Ａ，１４０Ｂに対する光ディスク３９の装着方向に依存することなく、また正規の姿勢を維持した状態でパソコンを所望する任意の位置に据付けることが可能となる。また、パソコン内の放熱処理を正常に行なうことができる。
【００８８】
なお、本実施例において、パソコン本体１４０Ａ，１４０Ｂには、蓋体１３０がＹ，Ｙ方向に変位することを防ぐための変位防止部材を設けた構成としても良い。
【００８９】
（第８実施例）
次に、図３５乃図３６を参照して、本発明の第８実施例の光ディスク装置及びパソコン本体について説明する。図３５は、本発明の第８実施例の光ディスク装置の斜視図であり、図３６は、図３５に示したパソコン本体に装着された光ディスク装置及びパソコン本体の斜視図である。なお、図３５乃至図３６中に示した「光ディスク装置前面側」は、図示していない光ディスク装着用トレイの出し入れされる側を示している。
【００９０】
図３５に示すように、光ディスク装置１５０の収納用ケース１５１には、突出部等が形成されていない箱型の形状に形成されている。そのため、光ディスク装置１５０の反転前後において、対称な形状とされている。図３６に示すように、パソコン本体１５５には、収納用ケース１５１の側面１５０ａ，１５０ｂを支持するための一対の側面ガイド部１５５Ｂと、収納用ケース１５１の背面１５０ｃを支持するための一対の背面ガイド部１５５Ａとが配設されている。
【００９１】
このような構成とすることで、パソコン本体１５５に対して光ディスク装置１５０を反転させて装着することができる。
【００９２】
これにより、パソコン使用者は、ディスク３９をパソコン本体１５５に対して、Ｘ１方向から装着する態様と、Ｘ２方向から装着する態様とのどちらかを選択することができる。よって、パソコン本体１５５の設置の自由度を向上させることができるため、パソコン本体１５５に対する光ディスク３９の装着方向に依存することなく、また正規の姿勢を維持した状態でパソコンを所望する任意の位置に据付けることが可能となる。また、パソコン内の放熱処理を正常に行なうことができる。
【００９３】
以上、本発明の好ましい実施の形態について詳述したが、本発明はかかる特定の実施例に限定されるものではなく、特許請求の範囲内に記載された本発明の記載範囲内において、種々の変形・変更が可能である。なお、上記実施例では、電子装置としてパソコンを例に挙げて説明を行ったが、本発明は、ディスク装置を備えた電子装置において、電子装置本体の幅がディスク装置の長手方向の幅よりも小さくなる電子装置全般に適用することができる。
【００９４】
本発明によれば、電子装置本体に対してディスク装置を反転させて装着可能な構成とすることにより、電子装置本体に対するディスクの装着方向に依存することなく、電子装置本体の設置の自由度を向上することができる。
【図面の簡単な説明】
【００９５】
【図１】図１は、従来のパソコンを示した図である。
【図２】図２は、図１に示した従来のパソコンのトレイを引き出した状態を示した図である。
【図３Ａ】図３Ａは、図１に示したパソコンを壁に寄せて設置した状態を示した図である。
【図３Ｂ】図３Ｂは、図１に示したパソコンを横置きに設置した状態を示した図である。
【図４】図４は、本発明のパソコンを示した図である。
【図５】図５は、図４に示した光ディスク装置からトレイを引き出した状態を示した図である。
【図６】図６は、パソコン本体に対して反転させて装着された光ディスク装置のトレイを引き出した状態を示した図である。
【図７】図７は、本発明の第１実施例の光ディスク装置を示した図である。
【図８】図８は、光ディスク装置が装着される領域のパソコン本体の側面図である。
【図９】図９は、光ディスク装置が装着されたパソコン本体を示した図である。
【図１０】図１０は、本発明の第２実施例の光ディスク装置を示した図である。
【図１１】図１１は、第２実施例のパソコン本体の正面図である。
【図１２】図１２は、図１１に示したパソコン本体のＧ―Ｇ線方向の断面図である。
【図１３】図１３は、光ディスク装置が装着されたパソコン本体の正面図である。
【図１４】図１４は、本発明の第３実施例の光ディスク装置を示した図である。
【図１５】図１５は、図１４に示した光ディスク装置をＦ視した図である。
【図１６】図１６は、板部材の斜視図である。
【図１７】図１７は、板部材が装着される領域のパソコン本体の正面図である。
【図１８】図１８は、光ディスク装置が装着されたパソコン本体を示した図である。
【図１９】図１９は、本発明の第４実施例の光ディスク装置を示した図である。
【図２０】図２０は、図１９に示した光ディスク装置をＸ１視した図である。
【図２１】図２１は、図２０に示した光ディスク装置のＭ―Ｍ線方向の断面図である。
【図２２】図２２は、パソコン本体のＸ１視した図である。
【図２３】図２３は、パソコン本体に装着した光ディスク装置の断面図である。
【図２４】図２４は、パソコン本体に対して反転させて装着された光ディスク装置の断面図である。
【図２５】図２５は、本発明の第５実施例の光ディスク装置の斜視図である。
【図２６】図２６は、図２５に示した光ディスク装置をＸ１視した図である。
【図２７】図２７は、図２６に示した光ディスク装置のＮ―Ｎ線方向の断面図である。
【図２８】図２８は、補強用柱の斜視図である。
【図２９】図２９は、図２９は、パソコン本体をＸ１視した図である。
【図３０】図３０は、パソコン本体に装着された光ディスク装置のＮ−Ｎ線方向の断面図である。
【図３１】図３１は、パソコン本体に対して反転させて装着された光ディスク装置のＮ−Ｎ線方向の断面図である。
【図３２】図３２は、本発明の第６実施例の光ディスク装置及びパソコン本体の斜視図である。
【図３３】図３３は、本発明の第７実施例の光ディスク装置、蓋体及びパソコン本体の斜視図である。
【図３４】図３４は、図３３に示した光ディスク装置及び蓋体がパソコン本体に装着された際の係合部分をＺ１視した図である。
【図３５】図３５は、本発明の第８実施例の光ディスク装置の斜視図である。
【図３６】図３６は、図３５に示したパソコン本体に装着された光ディスク装置及びパソコン本体の斜視図である。
【図１】
0004659617.tif 000002
【図２】
0004659617.tif 000003
0004659617.tif 000004
【図４】
0004659617.tif 000005
【図５】
0004659617.tif 000006
【図６】
0004659617.tif 000007
【図７】
0004659617.tif 000008
【図８】
0004659617.tif 000009
【図９】
0004659617.tif 000010
【図１０】
0004659617.tif 000011
【図１１】
0004659617.tif 000012
【図１２】
0004659617.tif 000013
【図１３】
0004659617.tif 000014
【図１４】
0004659617.tif 000015
【図１５】
0004659617.tif 000016
【図１６】
0004659617.tif 000017
【図１７】
0004659617.tif 000018
【図１８】
0004659617.tif 000019
【図１９】
0004659617.tif 000020
【図２０】
0004659617.tif 000021
【図２１】
0004659617.tif 000022
【図２２】
0004659617.tif 000023
【図２３】
0004659617.tif 000024
【図２４】
0004659617.tif 000025
【図２５】
0004659617.tif 000026
【図２６】
0004659617.tif 000027
【図２７】
0004659617.tif 000028
【図２８】
0004659617.tif 000029
【図２９】
0004659617.tif 000030
【図３０】
0004659617.tif 000031
【図３１】
0004659617.tif 000032
【図３２】
0004659617.tif 000033
【図３３】
0004659617.tif 000034
【図３４】
0004659617.tif 000035
【図３５】
0004659617.tif 000036
【図３６】
0004659617.tif 000037